(57)【要約】      （修正有）【課題】すばやく取り外し可能な電気プローブ及び電気測定装置を提供する。【解決手段】電気プローブはプローブ本体１０と、プローブヘッド部材１１と、第１弾性導電固定具１２とを含む。プローブヘッド部材は対向するように設けられる接続端１１２と測定端１１３とを有し、かつテストピン１１１が穿設される。接続端はプローブ本体の一端から貫通孔１０１に挿入され、測定端は、被測定物と接触する。第１弾性導電固定具は中空の管状構造であり、プローブ本体に内設される。接続端は第１弾性導電固定具の中空区域に挟持固定される。第１弾性導電固定具がプローブ本体に対して形成する外部支持力量は、第１弾性導電固定具が接続端に対して形成する挟持固定力量より大きい。電気測定装置は、複数の電気プローブを取り付ける台座を有する。第１弾性導電固定具により、プローブヘッド部材のプローブ本体に対するすばやい取り外しと組み立てができ、適用と保守の利便性が向上する。【選択図】図１Ａ
0003227167.tif 000002
【実用新案登録請求の範囲】
【請求項１】
プローブ本体と、プローブヘッド部材と、第１弾性導電固定具とを含み、
前記プローブ本体が中空状に形成されていて、その一端に貫通孔を有し、
前記プローブヘッド部材が中空状に形成されてテストピンが穿設されており、前記プローブヘッド部材には、前記貫通孔より前記プローブ本体に相互に組み付けられる接続端と、被測定物との接触及び導通のために提供される測定端とが対向するように設けられ、
前記第１弾性導電固定具が中空の管状構造であり、かつ前記プローブ本体に内設されており、
前記プローブヘッド部材の前記接続端が前記貫通孔より前記プローブ本体に挿入され、前記接続端が前記第１弾性導電固定具の中空区域に位置して前記第１弾性導電固定具に挟持固定され、前記第１弾性導電固定具が前記プローブ本体に対して形成する外部支持力量が、前記第１弾性導電固定具が前記接続端に形成する挟持固定力量より大きく、これにより、前記プローブヘッド部材が前記プローブ本体に対してすばやく取り外し及び組み立てできる効果を前記第１弾性導電固定具が達成することを特徴とする、電気プローブ。
【請求項２】
中空の管状構造であり、かつ前記プローブ本体に内設される第２弾性導電固定具を更に含み、
前記プローブヘッド部材と前記プローブ本体とを組み付けた後、前記接続端より突き出した前記プローブの一端が前記第２弾性導電固定具の中空区域に位置して前記第２弾性導電固定具に挟持固定されるとともに、前記第２弾性導電固定具の外部支持力量が前記第２弾性導電固定具の前記プローブに対する挟持固定力量より大きいことを特徴とする、請求項１に記載の電気プローブ。
【請求項３】
前記第２弾性導電固定具が第１端と、第２端と、複数の第１ばね片とを有し、
前記第１端と前記第２端とが対向するように設置されており、かつ前記第１ばね片を前記第１端と前記第２端との間に設け、隣接する前記第１ばね片のそれぞれの間に第１開口部を有し、
前記第１弾性導電固定具が第３端と、第４端と、複数の第２ばね片とを有し、
前記第３端と、前記第４端とが対向するように設置されており、かつ前記第２ばね片を前記第３端と前記第４端との間に設け、隣接する前記第２ばね片のそれぞれの間に第２開口部を有することを特徴とする、請求項２に記載の電気プローブ。
【請求項４】
前記プローブヘッド部材の前記接続端に第１セクションと、第２セクションとを有し、前記第１セクションの幅が前記第２セクションの幅より狭く、前記接続端に段差を形成することを特徴とする、請求項１ないし３のいずれか一項に記載の電気プローブ。
【請求項５】
前記プローブ本体は、前記貫通孔の周辺部に環状溝が形成されており、
前記プローブヘッド部材には前記環状溝に対応する位置決め部が設けられており、
前記プローブ本体を前記プローブヘッド部材と組み付けた後、前記位置決め部が前記環状溝に固定されることを特徴とする、請求項４に記載の電気プローブ。
【請求項６】
複数の取付孔が開設された台座と、複数の電気プローブと、を含む電気測定装置であって、
前記複数の電気プローブをそれぞれ前記取付孔に設け、
前記電気プローブのそれぞれが、プローブ本体と、プローブヘッド部材と、第１弾性導電固定具とを含み、
前記プローブ本体が中空状に形成されていて、その一端に貫通孔を有し、
前記プローブヘッド部材が中空状に形成されてテストピンが穿設されており、前記プローブヘッド部材には、前記貫通孔より前記プローブ本体に相互に組み付けられる接続端と、被測定物との接触及び導通のために提供される測定端とが対向するように設けられ、
前記第１弾性導電固定具が中空の管状構造であり、かつ前記プローブ本体に内設されており、
前記プローブヘッド部材の前記接続端が前記貫通孔より前記プローブ本体に挿入され、前記接続端が前記第１弾性導電固定具の中空区域に位置して前記第１弾性導電固定具に挟持固定され、前記第１弾性導電固定具が前記プローブ本体に対して形成する外部支持力量が、前記第１弾性導電固定具が前記接続端に形成する挟持固定力量より大きく、これにより、前記プローブヘッド部材が前記プローブ本体に対してすばやく取り外し及び組み立てできる効果を達成することを特徴とする、電気測定装置。
【請求項７】
前記電気プローブが、中空の管状構造であり、かつ前記プローブ本体に内設される第２弾性導電固定具を更に含み、
前記プローブヘッド部材と前記プローブ本体とを組み付けた後、前記接続端より突き出した前記プローブの一端が前記第２弾性導電固定具の中空区域に位置して前記第２弾性導電固定具に挟持固定されるとともに、前記第２弾性導電固定具の外部支持力量が前記第２弾性導電固定具の前記プローブに対する挟持固定力量より大きいことを特徴とする、請求項６に記載の電気測定装置。
【請求項８】
前記第２弾性導電固定具が第１端と、第２端と、複数の第１ばね片とを有し、
前記第１端と前記第２端とが対向するように設置されており、かつ前記第１ばね片を前記第１端と前記第２端との間に設け、隣接する前記第１ばね片のそれぞれの間に第１開口部を有し、
前記第１弾性導電固定具が第３端と、第４端と、複数の第２ばね片とを有し、
前記第３端と、前記第４端とが対向するように設置されており、かつ前記第２ばね片を前記第３端と前記第４端との間に設け、隣接する前記第２ばね片のそれぞれの間に第２開口部を有することを特徴とする、請求項７に記載の電気測定装置。
【請求項９】
前記プローブヘッド部材の前記接続端に第１セクションと、第２セクションとを有し、前記第１セクションの幅が前記第２セクションの幅より狭く、前記接続端に段差を形成することを特徴とする、請求項６ないし８のいずれか一項に記載の電気測定装置。
【請求項１０】
前記プローブ本体は、前記貫通孔の周辺部に環状溝が形成されており、
前記プローブヘッド部材には前記環状溝に対応する位置決め部が設けられており、
前記プローブ本体を前記プローブヘッド部材と組み付けた後、前記位置決め部が前記環状溝に固定されることを特徴とする、請求項９に記載の電気測定装置。
【考案の詳細な説明】
【技術分野】
【０００１】
本考案は電気測定製品に関し、特に電気測定装置への適用やメンテナンスにおいて利便性の高い、すばやく取り外し可能な電気プローブ及びそれを備えた電気測定装置に関する。
【背景技術】
【０００２】
各種の電子装置を組み立てた後、電気伝送の面ですべて製品が規格との合致を確認するため、工場出荷前に関連の電気テストを実施し、それぞれ電気測定装置を用いて測定される。
【考案の概要】
【考案が解決しようとする課題】
【０００３】
公知の電気測定装置は、プローブを介して被測定物と接触して電気導通を形成し、測定機を用いて、電気または信号伝送が規格に合致するか否かを確認する。しかし、被測定物が異なる場合は、電気接点のタイプまたは電気伝送の要求など、電気測定装置に対応するプローブを使用しないと測定することが出来ない。そのため、測定作業においては、プローブを頻繁に交換する必要がある。現在多くはその都度プローブを交換する方式で対策されている。しかし、この種の方法は、測定作業の実施に相当な不便をきたしており、交換のために膨大な作業時間がかかっている。一方、電気測定装置を長時間使用すると、接触部の構造が損傷してくる。この場合においても、プローブを複雑な手順を経てそれぞれ取り外して交換する必要があり、この部分も測定作業において、避けられない不便になっている。
【０００４】
このような不便な状況から、考案者はすばやく取り外し可能な電気プローブ及びそれを備えた電気測定装置を考案し、便利でしかも優れた解決方案を提供するものである。
【課題を解決するための手段】
【０００５】
本考案の一目的は、すばやく取り外し可能な電気プローブ及びそれを備えた電気測定装置を提供する。本考案によれば、すばやく取り外し、組み立てることができる効果を有し、公知技術においてプローブの交換に時間がかかり、コストが高くなるという不便な欠点を解決できる。
【０００６】
前述の目的を達成するため、本考案の一実施例においては、プローブ本体と、プローブヘッド部材と、第１弾性導電固定具と、を含む、電気プローブが提供される。プローブ本体は中空状に形成され、一端に貫通孔を有する。プローブヘッド部材は中空状に形成され、テストピンが穿設される。プローブヘッド部材は対向するように設置された接続端と、測定端とを有し、接続端は貫通孔よりプローブ本体との組みつけに提供し、計測端表面は被測定物との接触及び導通に提供する。第１弾性導電固定具は中空の管状構造に形成されていて、プローブ本体の内部に取り付ける。そのうち、プローブヘッド部材の接続端が貫通孔よりプローブ本体に挿入されたとき、第１弾性導電固定具の中空状区域に位置して第１弾性導電固定具に挟持固定され、かつ第１弾性導電固定具がプローブ本体に対して形成する外部支持力量よりも、第１弾性導電固定具の接続端の挟持固定力量より大きい。これにより、第１弾性導電固定具によって、プローブヘッド部材がプローブ本体に対して、すばやく取り外し組み立て効果を達成する。これにより、測定ヘッド部材と、プローブ本体の分離設計が第１弾性導電固定具構造と結合することによって、プローブヘッド部材の組み立てまたは取り外すともすばやくしかも便利作業の長所を有し、適用の便利性が大きく向上され、プローブヘッド部材の組み立てまたは取り外しに非常に便利な解決策が提供される。
【０００７】
本考案の一実施例において、電気測定装置が提供される。複数の取付孔を開ける台座と、それぞれ取付孔に設ける前述したすばやく取り外し可能な電気プローブと、を含む。これにより、電気測定装置がすばやく取り外し可能プローブ構造によって、簡単、かつ便利交換の適用長所を達成される。特に異なる被測定物において、プローブを大量に交換必要な場合、本考案は特に交換作業の必要時間を短縮し、作業プロセスを単純化できる。
【０００８】
前述２つの実施例に基づき、すばやく取り外し可能な電気プローブが中空の管状構造を形成していて、プローブ本体に内設し、プローブヘッド部材とプローブ本体とを組み付けた後、プローブは接続端より繰り出した一端が第２弾性導電固定具の中空区域において、第２弾性導電固定具に挟持固定されるとともに、第２弾性導電固定具の外部支え止め力量が第２弾性導電固定具プローブに対する挟持固定力量より大きい。これにより、測定ヘッド取り付け後の安定性が向上されるとともに、すばやく取り外し可能な電気プローブにより良い分離設計の交換便利性も一層に向上される。
【０００９】
好ましくは、かかる第２弾性導電固定具に第１端と、第２端と、複数の第１ばね片を有し、第１端と第２端が対向に設置していて、かつ、第１ばね片を第１端と第２端との間に設け、隣接する第１ばね片に第１開口部を有する。さらに、第１弾性導電固定具に第３端と、第４端と、複数の第２ばね片を設けても良い。第３端と、第４端が対向に設置していて、かつ、第２ばね片を第３端と、第４端との間に設け、隣接する第２ばね片に第２開口部を有する。これによって、電気接触効果及び挟持安定性が向上される。
【００１０】
このほか、プローブヘッド部材のプローブ本体に対する固定効果を向上し、組み立てに便利させるため、プローブヘッド部材の接続端に第１セクションと、第２セクションを有していて、かつ、第１セクションの幅が第２セクションの幅より狭く、接続端に段差を形成する。
【００１１】
好ましくは、プローブヘッド部材が貫通孔の周辺部に環状溝を設け、プローブヘッド部材が環状溝に対して、位置決め部を設けて、プローブヘッド部材とプローブ本体とを相互に組み立てた後、位置決め部が環状溝の内部に固定させる。これにより、プローブ本体と、プローブヘッド部材との位置限定と組み立て安定性を大幅に向上することができる。
【図面の簡単な説明】
【００１２】
【図１Ａ】本考案の好ましい実施例における電気プローブの立体分解図（その１）である。
【図１Ｂ】本考案の好ましい実施例における電気プローブの立体分解図（その２）である。
【図２】本考案の好ましい実施例における電気プローブの組み立て断面図である。
【図３】本考案の好ましい実施例における電気測定装置の局所分解図である。
【図４】本考案の好ましい実施例における電気測定装置の組み立て図である。
【考案を実施するための形態】
【実施例】
【００１３】
図１Ａと、図１Ｂと、図２を参照する。本考案において、開示するすばやく取り外し可能な電気プローブ１は、電池、半導体部材等の被測定物の電気測定に適用できる。プローブ本体１０と、プローブヘッド部材１１と、第１弾性導電固定具１２と、を含む。
【００１４】
プローブ本体１０が中空状に形成していて、その一端に貫通孔１０１を有する。プローブヘッド部材１１も中空状に形成していて、かつ、テストピン１１１を穿設していて、プローブヘッド部材１１に対向に設置する接続端１１２と、測定端１１３とを有し、接続端１１２が貫通孔１０１よりプローブ本体１０との相互組付けに提供し、測定端１１３の表面は、被測定物との接触及び導通に提供する。そのうち、プローブ本体１０と相互に組付けるプローブヘッド部材１１側は測定機（図示しない）と電気接続を形成し、プローブ１１は例えば、彈簧型探針。好ましくは、テストピン１１１の両端を図に示すように、それぞれ接続端１１２と、測定端１１３より突き出す。第１弾性導電固定具１２が中空の管状構造を形成していて、かつ、プローブ本体１０に内設しており、プローブヘッド部材１１の接続端１１２を貫通孔１０１よりプローブ本体１０に挿設されたときは、第１弾性導電固定具１２の中空区域に位置し、第１弾性導電固定具１２に挟持固定するとともに、第１弾性導電固定具１２はプローブ本体１０の形成する外部支え止め力量が第１弾性導電固定具１２の接続端１１２に形成する挟持固定力より大きい。これにより、第１弾性導電固定具１２は、プローブヘッド部材１１がプローブ本体１０に対してすばやく取り外し及び組み付けることができる効果を提供できるとともに、プローブヘッド部材１１の交換時間を大幅に短縮するので、交換作業のプロセスを単純化し、電気測定適用時の利便性が大きく向上される。
【００１５】
前述のとおり、電気プローブが長時間使用されるとき、または多種類の異なる被測定物を測定するとき、プローブ交換の課題が生じる。従来は、プローブすべての部品を逐一に取り外してから、交換部材を一つずつ取り付ける。このように相当な交換作業時間を費やす一方、もともと電気測定装置のスペースが不足しているため、保守員にとっては不便で、かつ作業しづらい状況である。本考案のすばやく取り外し可能な電気プローブ１を組み立てる際は、プローブヘッド部材１１を貫通孔１０１に挿設すれば、接続端１１２が第１弾性導電固定具１２に挟持固定され、組み立てを完了する。取り外すときは、プローブヘッド部材１１を逆方向に引き出すと、プローブヘッド部材１１をプローブ本体１０より外すことができるので、交換効率と利便性が大幅に向上される。特に、大量のプローブヘッド部材１１を交換する場合は、この長所がより浮き彫りになる。
【００１６】
第１弾性導電固定具１２をプローブ本体１０に組み付けた後、第１弾性導電固定具１２によりプローブ本体１０に形成される外部支持力量は、第１弾性導電固定具１２がプローブヘッド部材１１の接続端１１２に形成する挟持固定力量より大きいため、プローブヘッド部材１１を抜き取る際、第１弾性導電固定具１２と一緒に引き抜かれることはない。さらに、この方法によれば、第１弾性導電固定具１２を直接プローブ本体１０内部に固定することが出来、新たに他の部材や加工方法等を必要とすることなく、固定効果を達成できる。好ましくは、第１弾性導電固定具１２に第３端１２１と、第４端１２２と、複数の第２ばね片１２３とを設ける。第３端１２１と、第４端１２２を対向するように設置して、第２ばね片１２３を第３端１２１と、第４端１２２との間に設けるとともに、隣接する第２ばね片１２３に第２穴部１２３１を設ける。これにより、第１弾性導電固定具１２の貫通孔１０１への組み付け安定性が向上されるほか、プローブヘッド部材１１の接続端１１２にはより良い接触導電性と挟持固定性をもたらすことができる。さらに、第１弾性導電固定具１２は例えば中間部が狭く、両幅が広くなって中央部が縮径された管状構造に形成して、接続端１１２に対して、より良い挟持固定強度を持たせる。
【００１７】
プローブヘッド部材１１とプローブ本体１０との組み付け安定性及び強度を向上させるため、本考案のすばやく取り外し可能な電気プローブ１は、中空状構造に形成された第２弾性導電固定具１３をさらに有し、かつプローブ本体１０に内設して、プローブヘッド部材１１０とプローブ本体１０とを相互に組付けて、テストピン１１１が接続端１１２より突き出した一端が第２弾性導電固定具１３の中空区域において、第２弾性導電固定具１３に挟持固定されるとともに、第２弾性導電固定具１３の外部支持力量が第２弾性導電固定具１３のテストピン１１１に対する挟持固定力量より大きくしてもよい。これにより、プローブヘッド部材１１をプローブ本体１０に組付けた後は、より良い挟持固定強度と電気導通効果を有する。第２弾性導電固定具１３も、外部支持力量がテストピン１１１に対する挟持固定力量よりも大きい特徴を有するため、あらたに他の部材または加工方法によって固定効果を図る必要がなく、かつプローブヘッド部材１１をプローブ本体１０より取り外すとき、第２弾性導電固定具１３がプローブ本体１０に安定して引き止められ、一緒に引き抜かれることはない。導電設計については、第２弾性導電固定具１３をプローブ本体１０に内設する場合、プローブ本体１０と互いに導通しない設置状態、例えば絶縁具を介して隔離設置することができる。
【００１８】
すばやく取り外し可能な電気プローブ１の一つの適用状態として、電圧信号と電流信号の伝導部分を設け、必要な区域に絶縁物を設けて、異なる導電経路にある部材の相互接触を避けることができる。一例として、テストピン１１１は例えば、電圧伝導経路として、機構設計のとき、テストピン１１１を接続端１１２の端部に突き出して、プローブ本体１０に組み付けた後、測定機と電気導通を形成し、テストピン１１１が測定端１１３より突き出す端を電圧入力端とし、もう一端を電圧出力端として、測定機に伝送させる。プローブヘッド部材１１の測定端１１３は例えば電流入力端として、すばやく取り外し可能な電気プローブ１と被測定物と接触導通した後、電流が測定端１１３、接続端１１２、第１弾性導電固定具１２、プローブ本体１０によって、形成された経路を測定機に伝導される。さらに、すばやく取り外し可能な電気プローブ１は、第２弾性導電固定具１３に対応して、より良い前後セクションの分離設計にすることができる。具体的に言えば、プローブ本体１０に対向する貫通孔１０１側に導体１０２を有し、かかる導体１０２が測定機と電気接続して、すばやく取り外し可能な電気プローブ１と被測定物とを接触導通した後、テストピン１１１と、かかる導体１０２と導通を形成することによって、電圧はこの経路に沿って、測定機に伝送される。好ましくは、図２に示すように、第２弾性導電固定具１３を導体１０２の一端に固設したままにプローブ本体１０に位置させ、テストピン１１１を穿設して挟持固定させる。この構造設計においては、プローブヘッド部材１１を抜き取るとき、プローブ本体１０もう一端の導体１０２がプローブ本体１０に残されるため、これにより、交換の利便性が向上される。
【００１９】
好ましくは、第２透明基板弾性導電固定具１３に第３端１３１と、第第２端１３２と、複数第２ばね片１３３とを設ける。第１端１３１と、第２端１３２とを対向に設置して、第１ばね片１３３を第１端１３１と第２端１３２との間に設け、隣接する第１ばね片１３３のそれぞれの間に第１穴部１３３１を設ける。これにより、テストピン１１１がより良い縛り力を有するとともに、プローブ本体１０に対する外部支持力を増強し、電気接触により良い導通効果を持たせることができる。
【００２０】
プローブヘッド部材１１の接続端１１２は第１セクション１１２１と、第２セクション１１２２とを有していて、かつ、第１セクション１１２１の幅が第２セクション１１２２の幅より狭いため、接続端１１２に段差を形成させる。もしくは、第１セクション１１２１の断面積が第２セクション１１２２の断面積より小さくする。一例として、接続端１１２が円柱形の場合、第１セクション１１２１の直径が第２セクション１１２２の直径より小さい。この構造により、組み付けるときの位置固定効果を強化できる。さらに、この実施例において、プローブヘッド部材１１と、プローブ本体１０とを組み付けた後、第２セクション１１２２が第１弾性導電固定具１２の中空区域に位置される。
【００２１】
このほか、プローブ本体１０が貫通孔１０１の周辺に環状溝１０３を形成し、プローブヘッド部材１１が環状溝１０３に対応して、位置決め部１１４を有し、プローブヘッド部材１１と、プローブ本体１０とを組み付けた後、位置決め部１１４が環状溝１０３に固定される。これにより、プローブヘッド部材１１の組付けるときの位置決め効果を向上できる。換言すれば、プローブヘッド部材１１を貫通孔１０１に取り付けるとき、環状溝１０３と、位置決め部１１４によって、取り付け深さの制限効果を達成し、位置決め部１１４と環状溝１０３とを互いに当接させて固定した後、作業員はプローブヘッド部材１１がプローブ本体１０へ確実に取り付けられたことを知ることができる。さらに、位置決め部１１４の一端が第１傾斜部１１４１を有し、環状溝１０３の内部がかかる第１傾斜部１１４１に対応した第２傾斜部１０３１を設けて、プローブヘッド部材１１と、プローブ本体１０とを相互に組み付けたとき、第１傾斜部１１４１と、第２傾斜部１０３１とが相互に対応して固定される。これにより、位置決めと、固定効果を強化できる。
【００２２】
被測定物の表面は酸化層の付着現象がたいてい発生される。そのため、測定するときに、すばやく取り外し可能な電気プローブ１と、被測定物とを確実に電気導通させる必要がある。好ましくは、測定端１１３の表面に複数の突き出し構造１１３１を設け、突き出し構造１１３１をそれぞれテーパー状に形成し、かつ、互いに接続して設置する。これにより、突き出し構造１１３１は、測定端１１３を被測定物に接触させるとき、被測定物表面の酸化層に突き通されるまたはそれを少し削ることによって、すばやく取り外し可能な電気プローブ１と、被測定物との導通効果を大幅に向上できる。当然ながら、突き出し構造１１３１は例えば、波状構造に設けても良い。
【００２３】
図及び３及び図４を参照し、図１Ａないし図２もあわせて参照する。本考案においては、台座２０と、複数の前述のすばやく取り外し可能な電気プローブ１戸を含む電気測定装置２が提供される。台座２０に複数の取付孔２０１を設け、それらの取付孔２０１は被測定物の接点分布にしたがって開けるか、または取付孔２０１を台座２０に密に配置した上で、被測定物の電気接点状態に基づき、すばやく取り外し可能な電気プローブ１の取り付け位置を選択する。すばやく取り外し可能な電気プローブ１を取付孔２０１にそれぞれ設ける。すばやく取り外し可能な電気プローブ１は、それぞれのプローブ本体１０と、プローブヘッド部材１１と、第１弾性導電固定具１２とを含む。プローブ本体１０が中空状に形成されていて、その一端に貫通孔１０１を有する。プローブヘッド部材１１も中空状に形成されていて、かつプローブヘッド部材１１は対向するように設置された接続端１１２と、測定端１１３とを有する。好ましくは、テストピン１１１の両端をそれぞれ接続端１１２と、測定端１１３より突き出す。接続端１１２は貫通孔１０１より、プローブ本体１０との相互組付けに提供し、測定端１１３は被測定物との接触及び導通に提供する。そのうち、プローブ本体１０と相互組み付けるプローブヘッド部材１１側は、測定機と電気接続を形成する。電気接続方法は、異なる測定要求または被測定物によって決められ、図示のものは、一つの好ましい電気接続状態に過ぎない。第１弾性導電固定具１１は中空の管状構造を形成し、プローブ本体１０に内設する。そのうち、プローブヘッド部材１１の接続端１１２を貫通孔１０１よりプローブ本体１０に挿入し、第１弾性導電固定具１２の中空区域に位置され、第１弾性導電固定具１２に挟持固定される。第１弾性導電固定具１２がプローブ本体１０に形成する外部支持力量は第１弾性導電固定具１２が接続端１１２に形成する挟持固定力量より大きい。これにより、すばやく取外し可能な電気プローブ１を備える電気測定装置２が極めて良い交換効率と利便性とを有し、プローブヘッド部材１１と、プローブ本体１０とを互いに分離する構造設計として第１弾性導電固定具１２と組み合わせれば、すばやく取り外し及び組み立てできるという利便性の高い効果を達成できる。
【００２４】
実務の測定場面においては、一つの台座に多くのプローブが設けられている。そこで、いざコネクターを交換する必要が生じたとき、プローブの配列が密集状態にあるため、公知技術のように、プローブを逐一取り外して再び組み付けるとなれば、非常に不便であるのみならず、膨大な作業時間がかかる。本考案の電気測定装置２に設けられたすばやく取り外し可能な電気プローブ１は、他の工具を頼らずプローブヘッド部材１１をすばやく取り外し及び組み立てることができるという長所を有するため、交換作業にかかる時間を大幅に短縮できるとともに、作業の利便性を向上し、当業者が現在悩んでいる欠点を確実に改善できる。
【００２５】
組み立ての際には、まずプローブ本体１０を台座２０の取付孔２０１に穿設して、プローブ本体１０と組み合わせるプローブヘッド部材１１側を測定機と電気接続を形成した上で、被測定物の種類に従って、対応するプローブヘッド部材１１を選択して、プローブヘッド部材１１を貫通孔１０１より、プローブ本体１０に挿入し、第１弾性導電固定具１２に挟持固定することで、組み立て作業を完了する。測定するときは、被測定物をプローブヘッド部材１１の位置に合わせて取り付け、台座２０を被測定物向きにして、電気プローブ１と被測定物とを接触及び導通させれば良い。プローブヘッド部材１１を交換または取り外すとき、プローブヘッド部材１１を逆方向に抜き出せば、プローブヘッド部材１１と、プローブ本体１０とを分離でき、引き続き、新しいプローブヘッド部材１１または他のタイプのプローブヘッド部材１１を貫通孔１０１に挿設すれば良い。このようにして、極めて良い交換効率と、利便性を達成することができる。一方、第１弾性導電固定具１２をプローブ本体１０に組み付けた後、第１弾性導電固定具１２がプローブ本体１０に形成する外部支持力量は第１弾性導電固定具１２がプローブヘッド部材１１の接続端１１２に形成する挟持固定力量より大きい。よって、台座がプローブヘッド部材１１といっしょに引き抜かれることはない。さらに、第１弾性導電固定具１２自らの弾性によって、貫通孔１０１にてしっかり支持することができる。
【００２６】
被測定物を測定する際には、すばやく取り外し可能な電気プローブ１を被測定物に接触させてやや下方に押し下げる。好ましくは、プローブ本体１０の外側にパッド１０４を設け、パッド１０４を台座２０付近の被測定物の側面に当てておく。これにより、測定のとき応力分散の効果を発生させ、電気測定装置２の使用寿命を確実に延長することができる。
【００２７】
同じく、すばやく取外し可能な電気プローブ１は、中空の管状構造を形成していて、かつプローブ本体１０に内設される第２弾性導電固定具１３をさらに含んでいても良い。プローブヘッド部材１１と、プローブ本体１０とを組み付けた後、テストピン１１１を接続端１１２より突き出させた一端が第２弾性導電固定具１３の中空区域に位置し、第２弾性導電固定具１３に挟持固定されるとともに、第２弾性導電固定具１３の外部支持力量は第２弾性導電固定具１３がテストピン１１１に形成する挟持固定力量より大きくする。さらに、第２透明基板弾性導電固定具１３に第１端１３１と、第第２端１３２と、複数第１ばね片１３３とを設ける。第１端１３１と、第２端１３２とを対向するように設置して、第１ばね片１３３を第１端１３１と第２端１３２との間に設け、隣接する第１ばね片１３３のそれぞれの間に第１穴部１３３１を設ける。これにより、テストピン１１１により良い縛り力を有するとともに、プローブ本体１０に対する外部支持力を増強し、電気接触により良い導通効果をもたせられる。その他関連詳細な技術詳細特徴は、前述の電気プローブ１の説明の内容を参照されたい。
【００２８】
さらに、プローブヘッド部材１１の接続端１１２は例えば、第１セクション１１２１と、第２セクション１１２２を設け、第１セクション１１２１の幅を第２セクション１１２２の幅より小さく設けて、接続端１１２に段差構造を形成して、組み付けるときの位置決め効果を強化させる。さらに、かかるプローブヘッド部材１１と、プローブ本体１０とを組み付けた後、第２セクション１１２２が第１弾性導電固定具１２の中空区域に位置させることもできる。
【００２９】
このほか、プローブ本体１０の貫通孔１０１の周辺に環状溝１０３が形成されており、プローブヘッド部材１１に環状溝１０３に対応する位置決め部１１４を設けて、プローブヘッド部材１１と、プローブ本体１０とを組み付けた後、位置決め部１１４を環状溝１０３に固定させることによって、プローブヘッド部材１１に組み付けの位置決め効果を実現できる。さらに、位置決め部１１４の一端が第１傾斜部１１４１を有し、環状溝１０３の内部にかかる第１傾斜部１１４１に対応する第２傾斜部１０３１を設けて、プローブヘッド部材１１と、プローブ本体１０と相互組み付けた後、第１傾斜部１１４１と第２傾斜部１０３１とが相互に対応して固定される。これにより、位置決めと固定効果を強化できる。
【００３０】
測定する際にすばやく取り外し可能な電気プローブ１と被測定物との確実な電気導通を実現させるため、測定端１１３の表面に複数の突き出し構造１１３１を設ける。かかる突き出し構造１１３１はそれぞれテーパー状に形成し、かつ、互いに接続して設ける。これにより、突き出し構造１１３１は、測定端１１３を被測定物に接触させるとき、被測定物表面の酸化層を突き通すまたは少し削ることによって、すばやく取り外し可能な電気プローブ１と被測定物との導通効果を大幅に向上できる。当然ながら、突き出し構造１１３１は、例えば波状構造に設けても良い。前述したすばやく取り外し可能なプローブ１のさらに追加可能な詳細な技術特徴と達成効果は、前述内容及び図１Ａないし図２を参照でき、ここでの説明を省略する。
【００３１】
以上の説明をまとめると、本考案は被測定物と接触するプローブヘッド部材構造をモジュール化設計にした上で、第１弾性導電固定具によってプローブヘッド部材を導通及び固定する部材として用いることにより、プローブの接続端にすばやく取り外し、すばやく組み立て効果をもたせる。よって、異なる被測定物に応じてプローブヘッド部材構造を交換する必要があるとき、または長時間使用により、損傷部分の交換が必要な場合のいずれ場合においても、本考案で開示する技術をもって、極めて良い交換効率を達成できる。本考案のすばやく取り外し可能な電気プローブはさらに第２弾性導電固定具と組み合わせて、プローブヘッド部と、プローブ本体との組立安定性を強化できるとともに、プローブにより良い構造分離設計を実現し、交換の利便性を向上させることができる。
【符号の説明】
【００３２】
１  電気プローブ
１０  プローブ本体
１０１  貫通孔
１０２  導体
１０３  環状溝
１０３１  第２傾斜部
１０４  パッド
１１  プローブヘッド部材
１１１  テストピン
１１２  接続端
１１２１  第１セクション
１１２２  第２セクション
１１３  測定端
１１３１  突き出し構造
１１４  位置決め部
１１４１  第１傾斜部
１２  第１弾性導電固定具
１２１  第３端
１２２  第４端
１２３  第２ばね板
１２３１  第２穴部
１３  第２弾性導電固定具
１３１  第１端
１３２  第２端
１３３  第１ばね板
１３３１  第１穴部
２  電気測定装置
２０  台座
２０１  取付孔
【図１Ａ】
0003227167.tif 000003
【図１Ｂ】
0003227167.tif 000004
【図２】
0003227167.tif 000005
【図３】
0003227167.tif 000006
【図４】
0003227167.tif 000007